(57)【要約】【課題】動画記録時、１枚１枚をＪＰＥＧ圧縮するが、動画記録時間を長くするために圧縮率を高くして圧縮データ量を少なくすると、ＪＰＥＧ圧縮特有のブロックノイズが目立つようになり、画質が劣化してしまう。【解決手段】映像データを動画記録または動画再生するときに、ＪＰＥＧ方式で圧縮、伸張を行う画像処理装置であって、動画記録動作時は、第１のフレーム画像と第２のフレーム画像でブロックノイズの位置がずれるように画像圧縮を行って動画記録を行い、前記動画記録動作により記録された動画の動画再生動作は、ＪＰＥＧ伸張した後に、前記動画記録動作時のブロックノイズのずれ情報を基に画像を表示することを特徴とする。【選択図】図１
2006013766.tif 000002
【特許請求の範囲】
【請求項１】
映像データを圧縮し、符号化データとして記録する動画記録方法であって、
前記符号化データに、複数のブロックから構成される第１のフレームと、複数のブロックから構成されて前記第１のフレームに時系列的に連続する第２のフレームとを含ませ、
前記第１のフレームと前記第２のフレームとでブロック間の境界位置をずらすことを特徴とする動画記録方法。
【請求項２】
映像データを圧縮し、符号化データとして記録する動画記録方法であって、
入力する映像データを記憶する工程と、
記憶した前記映像データを、複数のブロックから構成される第１のフレームとして読み出す工程と、
読み出した前記第１のフレームの映像データを圧縮して記録する工程と、
記憶した前記映像データを、複数のブロックから構成され、ブロック間の境界位置を前記第１のフレームに対してずらし、かつ前記第１のフレームに時系列的に連続する第２のフレームとして読み出す工程と、
読み出した前記第２のフレームの映像データを圧縮して記録する工程と、
前記各工程を交互に繰り返す工程とを含むことを特徴とする動画記録方法。
【請求項３】
映像データを圧縮し、符号化データとして記録する動画記録方法であって、
前記符号化データに、複数のブロックから構成される第１のフレームと、複数のブロックから構成されて前記第１のフレームに時系列的に連続する第２のフレームとを含ませ、
前記映像データを前記第１のフレームへと圧縮する際に、前記映像データの外側に幅Ｎ画素（Ｎ：自然数）のダミーデータを付加して圧縮することを特徴とする動画記録方法。
【請求項４】
映像データを圧縮し、符号化データとして記録する動画記録方法であって、
入力する映像データを記憶する工程と、
記憶した前記映像データを、複数のブロックから構成される第１のフレームとして読み出す工程と、
読み出した前記第１のフレームの映像データを、その外側に幅Ｎ画素（Ｎ：自然数）のダミーデータを付加した上で圧縮して記録する工程と、
記憶した前記映像データを、複数のブロックから構成され、かつ前記第１のフレームに時系列的に連続する第２のフレームとして読み出す工程と、
読み出した前記第２のフレームの映像データを圧縮して記録する工程と、
前記各工程を交互に繰り返す工程とを含むことを特徴とする動画記録方法。
【請求項５】
映像データを圧縮し、符号化データとして記録する動画記録方法であって、
前記符号化データに、複数のブロックから構成される第１のフレームと、複数のブロックから構成されて前記第１のフレームに時系列的に連続する第２のフレームとを含ませ、
前記映像データを前記第２のフレームへと圧縮する際に、前記映像データの外側に幅Ｎ画素（Ｎ：自然数）のダミーデータを付加して圧縮することを特徴とする動画記録方法。
【請求項６】
映像データを圧縮し、符号化データとして記録する動画記録方法であって、
入力する映像データを記憶する工程と、
記憶した前記映像データを、複数のブロックから構成される第１のフレームとして読み出す工程と、
読み出した前記第１のフレームの映像データを圧縮して記録する工程と、
記憶した前記映像データを、複数のブロックから構成され、かつ前記第１のフレームに時系列的に連続する第２のフレームとして読み出す工程と、
読み出した前記第２のフレームの映像データを、その外側に幅Ｎ画素（Ｎ：自然数）のダミーデータを付加した上で圧縮して記録する工程と、
前記各工程を交互に繰り返す工程とを含むことを特徴とする動画記録方法。
【請求項７】
前記ブロックの大きさを８画素×８画素とし、前記Ｎを４の倍数とすることを特徴とする請求項３から請求項６までのいずれかに記載の動画記録方法。
【請求項８】
前記ダミーデータとして、前記映像データ中の最も位置が近い画素と同一の画素データを割り当てることを特徴とする請求項３から請求項７までのいずれかに記載の動画記録方法。
【請求項９】
映像データを圧縮し、符号化データとして記録する動画記録方法であって、
前記符号化データに、複数のブロックから構成される第１のフレームと、複数のブロックから構成されて前記第１のフレームに時系列的に連続する第２のフレームとを含ませ、
前記第１のフレームと前記第２のフレームとで圧縮率を変えて圧縮し記録することを特徴とする動画記録方法。
【請求項１０】
映像データを圧縮し、符号化データとして記録する動画記録方法であって、
入力する映像データを記憶する工程と、
記憶した前記映像データを、複数のブロックから構成される第１のフレームとして読み出す工程と、
読み出した前記第１のフレームの映像データを圧縮して記録する工程と、
記憶した前記映像データを、複数のブロックから構成され、かつ前記第１のフレームに時系列的に連続する第２のフレームとして読み出す工程と、
読み出した前記第２のフレームの映像データを前記第１のフレームとは異なる圧縮率で圧縮して記録する工程と、
前記各工程を交互に繰り返す工程とを含むことを特徴とする動画記録方法。
【請求項１１】
前記映像データの圧縮形式がモーションＪＰＥＧ形式である請求項１から請求項１０までのいずれかに記載の動画記録方法。
【請求項１２】
映像データを圧縮し、符号化データとして記録する動画記録装置であって、
入力する映像データを記憶する映像データ記憶手段と、
前記映像データ記憶手段に記憶されている前記映像データを、複数のブロックから構成されかつ時系列的に連続する第１のフレームおよび第２のフレームとして、かつ、ブロック間の境界位置をフレームどうし間でずらす状態で読み出す映像データ読み出し手段と、
前記映像データ読み出し手段により読み出された前記第１のフレームおよび第２のフレームの映像データを圧縮して記録する圧縮手段
とを備えた動画記録装置。
【請求項１３】
映像データを圧縮し、符号化データとして記録する動画記録装置であって、
入力する映像データを記憶する映像データ記憶手段と、
前記映像データ記憶手段に記憶されている前記映像データを、複数のブロックから構成されかつ時系列的に連続する第１のフレームおよび第２のフレームとして読み出す映像データ読み出し手段と、
前記映像データ読み出し手段により読み出された前記第１のフレームおよび第２のフレームの映像データを、いずれか一方のフレームの外側に幅Ｎ画素（Ｎ：自然数）のダミーデータを付加した上で圧縮して記録する圧縮手段
とを備えた動画記録装置。
【請求項１４】
映像データを圧縮し、符号化データとして記録する動画記録装置であって、
入力する映像データを記憶する映像データ記憶手段と、
前記映像データ記憶手段に記憶されている前記映像データを、複数のブロックから構成されかつ時系列的に連続する第１のフレームおよび第２のフレームとして読み出す映像データ読み出し手段と、
前記映像データ読み出し手段により読み出された前記第１のフレームおよび第２のフレームの映像データを、互いに異なる圧縮率で圧縮して記録する圧縮手段
とを備えた動画記録装置。
【請求項１５】
前記映像データの圧縮形式がモーションＪＰＥＧ形式である請求項１２から請求項１４までのいずれかに記載の動画記録装置。
【請求項１６】
複数のブロックから構成され外側に幅Ｎ画素（Ｎ：自然数）のダミーデータが付加された第１のフレームと、複数のブロックから構成されて前記第１のフレームに時系列的に連続する第２のフレームとを含ませる状態で記録されている符号化データを読み出し、ＪＰＥＧ方式で伸張し、映像データとして再生する動画再生方法であって、
前記第１のフレームを伸張した映像データを、その外側の前記ダミーデータを除去した上で再生し、前記第２のフレームを伸張した映像データをそのまま再生することを特徴とする動画再生方法。
【請求項１７】
外側に幅Ｎ画素（Ｎ：自然数）のダミーデータが付加された第１のフレームの符号化データを読み出す工程と、
読み出した第１のフレームの符号化データを伸張し表示データとして記憶する工程と、
第２のフレームの符号化データを読み出す工程と、
読み出した第２のフレームの符号化データを伸張し表示データとして記憶する工程と、
前記記憶した第１のフレームの前記表示データを、その外側の前記ダミーデータを除去する状態で読み出して表示出力する工程と、
前記記憶した第２のフレームの前記表示データを読み出して表示出力する工程と、
前記各工程を交互に繰り返す工程とを含むことを特徴とする動画再生方法。
【請求項１８】
複数のブロックから構成された第１のフレームと、複数のブロックから構成されて前記第１のフレームに時系列的に連続し外側に幅Ｎ画素（Ｎ：自然数）のダミーデータが付加された第２のフレームとを含ませる状態で記録されている符号化データを読み出し、ＪＰＥＧ方式で伸張し、映像データとして再生する動画再生方法であって、
前記第１のフレームを伸張した映像データをそのまま再生し、前記第２のフレームを伸張した映像データを、その外側の前記ダミーデータを除去した上で再生することを特徴とする動画再生方法。
【請求項１９】
第１のフレームの符号化データを読み出す工程と、
読み出した第１のフレームの符号化データを伸張し表示データとして記憶する工程と、
外側に幅Ｎ画素（Ｎ：自然数）のダミーデータが付加された第２のフレームの符号化データを読み出す工程と、
読み出した第２のフレームの符号化データを伸張し表示データとして記憶する工程と、
前記記憶した第１のフレームの前記表示データを読み出して表示出力する工程と、
前記記憶した第２のフレームの前記表示データを、その外側の前記ダミーデータを除去する状態で読み出して表示出力する工程と、
前記各工程を交互に繰り返す工程とを含むことを特徴とする動画再生方法。
【請求項２０】
前記ブロックの大きさを８画素×８画素とし、前記Ｎを４の倍数とすることを特徴とする請求項１４から請求項１７までのいずれかに記載の動画再生方法。
【請求項２１】
前記映像データの圧縮形式がモーションＪＰＥＧ形式である請求項１６から請求項２０までのいずれかに記載の動画再生方法。
【請求項２２】
外側に幅Ｎ画素（Ｎ：自然数）のダミーデータが付加された第１のフレームの符号化データおよび前記第１のフレームに時系列的に連続しダミーデータ付加のない第２のフレームの符号化データを読み出して伸張するＪＰＥＧ伸張手段と、
前記ＪＰＥＧ伸張手段によって伸張された前記第１のフレームおよび第２のフレームのデータを表示データとして記憶する表示データ記憶手段と、
前記表示データ記憶手段に記憶された前記第１のフレームの表示データを、その外側の前記ダミーデータを除去する状態で読み出して表示出力するとともに、前記第２のフレームの表示データを読み出して表示出力する表示データ読み出し手段と
を備えた動画再生装置。
【請求項２３】
ダミーデータ付加のない第１のフレームの符号化データおよび前記第１のフレームに時系列的に連続し外側に幅Ｎ画素（Ｎ：自然数）のダミーデータが付加された第２のフレームの符号化データを読み出して伸張するＪＰＥＧ伸張手段と、
前記ＪＰＥＧ伸張手段によって伸張された前記第１のフレームおよび第２のフレームのデータを表示データとして記憶する表示データ記憶手段と、
前記表示データ記憶手段に記憶された前記第１のフレームの表示データを読み出して表示出力するとともに、前記第２のフレームの表示データを、その外側の前記ダミーデータを除去する状態で読み出して表示出力する表示データ読み出し手段と
を備えた動画再生装置。
【請求項２４】
前記映像データの圧縮形式がモーションＪＰＥＧ形式である請求項２２または請求項２３に記載の動画再生装置。
【発明の詳細な説明】
【技術分野】
【０００１】
本発明は、映像データを圧縮し、符号化データとして記録する動画記録方法、動画記録装置、符号化データを読み出して伸張し、再生する動画再生方法および動画再生装置に関する。
【背景技術】
【０００２】
デジタルカメラ等に搭載する簡易な動画記録機能について、従来ではモーションＪＰＥＧ形式が採用されている。これは、１枚１枚の映像データに対して画像圧縮を行い、動画再生するときは符号化データを１枚１枚連続的に画像伸張して表示することにより、動画記録再生機能を実現するものである（例えば、特許文献１参照）。
【特許文献１】特開２０００−３３３１３０号公報（第３−４頁、第２図）
【発明の開示】
【発明が解決しようとする課題】
【０００３】
上記従来技術の場合、１枚１枚をＪＰＥＧ圧縮する。この場合、動画記録時間を長いものとするために圧縮率を高くすると、符号量が少なくなり、ＪＰＥＧ圧縮特有のブロックノイズが目立つ画質劣化を招いてしまう。
【０００４】
また、その欠点を解決しようとＪＰＥＧ圧縮率を低くすると、符号量が大きくなり、メモリ容量の増加につながる。
【０００５】
本発明は上記の点に鑑みて創作したものであり、ブロックノイズが目立たなくなるようにし、高品質な動画画質を実現することを目的とする。
【課題を解決するための手段】
【０００６】
本発明は、上記の課題を解決するために次のような手段を講じる。
【０００７】
上記の課題を解決するために、映像データの動画記録動作時は、第１のフレーム画像と第２のフレーム画像でブロックノイズの位置がずれるように画像圧縮を行って動画記録を行う。また、動画再生動作時は、データ伸張した後に、動画記録動作時のブロックノイズのずれ情報を基に画像を表示する。
【０００８】
動画記録動作は、片フレームについてだけ、記録するデジタル画像の外側に幅Ｎ画素（Ｎ自然数）の余分なダミーデータ（ダミー枠）を含んだ画像を圧縮して動画記録を行う。また、動画再生動作時は、データ伸張した後にダミーデータが付加されている画像はダミーデータを除くように表示する。
【０００９】
また、動画記録動作時において、第１のフレームと第２のフレームで圧縮率を変え、いずれか一方のフレームを高品質な画像として記録する。
【００１０】
以下、より具体的レベルで展開する。
【００１１】
本発明による動画記録方法は、映像データを圧縮し、符号化データとして記録する動画記録方法であって、前記符号化データに、複数のブロックから構成される第１のフレームと、複数のブロックから構成されて前記第１のフレームに時系列的に連続する第２のフレームとを含ませ、前記第１のフレームと前記第２のフレームとでブロック間の境界位置をずらすことを特徴とする。
【００１２】
すなわち、本発明による動画記録方法は、
入力する映像データを記憶する工程と、
記憶した前記映像データを、複数のブロックから構成される第１のフレームとして読み出す工程と、
読み出した前記第１のフレームの映像データを圧縮して記録する工程と、
記憶した前記映像データを、複数のブロックから構成され、ブロック間の境界位置を前記第１のフレームに対してずらし、かつ前記第１のフレームに時系列的に連続する第２のフレームとして読み出す工程と、
読み出した前記第２のフレームの映像データを圧縮して記録する工程と、
前記各工程を交互に繰り返す工程とを含むものである。
【００１３】
また、本発明による動画記録方法は、映像データを圧縮し、符号化データとして記録する動画記録方法であって、前記符号化データに、複数のブロックから構成される第１のフレームと、複数のブロックから構成されて前記第１のフレームに時系列的に連続する第２のフレームとを含ませ、前記映像データを前記第１のフレームへと圧縮する際に、前記映像データの外側に幅Ｎ画素（Ｎ：自然数）のダミーデータを付加して圧縮することを特徴とする。
【００１４】
すなわち、本発明による動画記録方法は、
入力する映像データを記憶する工程と、
記憶した前記映像データを、複数のブロックから構成される第１のフレームとして読み出す工程と、
読み出した前記第１のフレームの映像データを、その外側に幅Ｎ画素（Ｎ：自然数）のダミーデータを付加した上で圧縮して記録する工程と、
記憶した前記映像データを、複数のブロックから構成され、かつ前記第１のフレームに時系列的に連続する第２のフレームとして読み出す工程と、
読み出した前記第２のフレームの映像データを圧縮して記録する工程と、
前記各工程を交互に繰り返す工程とを含むものである。
【００１５】
また、本発明による動画記録方法は、映像データを圧縮し、符号化データとして記録する動画記録方法であって、
前記符号化データに、複数のブロックから構成される第１のフレームと、複数のブロックから構成されて前記第１のフレームに時系列的に連続する第２のフレームとを含ませ、前記映像データを前記第２のフレームへと圧縮する際に、前記映像データの外側に幅Ｎ画素（Ｎ：自然数）のダミーデータを付加して圧縮することを特徴とする。
【００１６】
すなわち、本発明による動画記録方法は、
入力する映像データを記憶する工程と、
記憶した前記映像データを、複数のブロックから構成される第１のフレームとして読み出す工程と、
読み出した前記第１のフレームの映像データを圧縮して記録する工程と、
記憶した前記映像データを、複数のブロックから構成され、かつ前記第１のフレームに時系列的に連続する第２のフレームとして読み出す工程と、
読み出した前記第２のフレームの映像データを、その外側に幅Ｎ画素（Ｎ：自然数）のダミーデータを付加した上で圧縮して記録する工程と、
前記各工程を交互に繰り返す工程とを含むものである。
【００１７】
上記の動画記録方法において、前記ブロックの大きさを８画素×８画素とし、前記Ｎを４の倍数とすることを代表例としてあげることができる。
【００１８】
また、前記ダミーデータとして、前記映像データ中の最も位置が近い画素と同一の画素データを割り当てることは好ましい。
【００１９】
また、本発明による動画記録方法は、映像データを圧縮し、符号化データとして記録する動画記録方法であって、前記符号化データに、複数のブロックから構成される第１のフレームと、複数のブロックから構成されて前記第１のフレームに時系列的に連続する第２のフレームとを含ませ、前記第１のフレームと前記第２のフレームとで圧縮率を変えて圧縮し記録することを特徴とする。
【００２０】
すなわち、本発明による動画記録方法は、
入力する映像データを記憶する工程と、
記憶した前記映像データを、複数のブロックから構成される第１のフレームとして読み出す工程と、
読み出した前記第１のフレームの映像データを圧縮して記録する工程と、
記憶した前記映像データを、複数のブロックから構成され、かつ前記第１のフレームに時系列的に連続する第２のフレームとして読み出す工程と、
読み出した前記第２のフレームの映像データを前記第１のフレームとは異なる圧縮率で圧縮して記録する工程と、
前記各工程を交互に繰り返す工程とを含むものである。
【００２１】
上記の動画記録方法において、前記映像データの圧縮形式がモーションＪＰＥＧ形式である場合を代表例としてあげることができる。
【００２２】
本発明を動画記録装置として、次のように展開することが可能である。
【００２３】
すなわち、映像データを圧縮し、符号化データとして記録する動画記録装置であって、
入力する映像データを記憶する映像データ記憶手段と、
前記映像データ記憶手段に記憶されている前記映像データを、複数のブロックから構成されかつ時系列的に連続する第１のフレームおよび第２のフレームとして、かつ、ブロック間の境界位置をフレームどうし間でずらす状態で読み出す映像データ読み出し手段と、
前記映像データ読み出し手段により読み出された前記第１のフレームおよび第２のフレームの映像データを圧縮して記録する圧縮手段
とを備えた構成である。
【００２４】
また、本発明による動画記録装置は、映像データを圧縮し、符号化データとして記録する動画記録装置であって、
入力する映像データを記憶する映像データ記憶手段と、
前記映像データ記憶手段に記憶されている前記映像データを、複数のブロックから構成されかつ時系列的に連続する第１のフレームおよび第２のフレームとして読み出す映像データ読み出し手段と、
前記映像データ読み出し手段により読み出された前記第１のフレームおよび第２のフレームの映像データを、いずれか一方のフレームの外側に幅Ｎ画素（Ｎ：自然数）のダミーデータを付加した上で圧縮して記録する圧縮手段
とを備えた構成である。
【００２５】
また、本発明による動画記録装置は、映像データを圧縮し、符号化データとして記録する動画記録装置であって、
入力する映像データを記憶する映像データ記憶手段と、
前記映像データ記憶手段に記憶されている前記映像データを、複数のブロックから構成されかつ時系列的に連続する第１のフレームおよび第２のフレームとして読み出す映像データ読み出し手段と、
前記映像データ読み出し手段により読み出された前記第１のフレームおよび第２のフレームの映像データを、互いに異なる圧縮率で圧縮して記録する圧縮手段
とを備えた構成である。
【００２６】
上記の動画記録装置において、前記映像データの圧縮形式がモーションＪＰＥＧ形式である場合を典型例としてあげることができる。
【００２７】
動画再生方法としての本発明は、複数のブロックから構成され外側に幅Ｎ画素（Ｎ：自然数）のダミーデータが付加された第１のフレームと、複数のブロックから構成されて前記第１のフレームに時系列的に連続する第２のフレームとを含ませる状態で記録されている符号化データを読み出し、ＪＰＥＧ方式で伸張し、映像データとして再生する動画再生方法であって、前記第１のフレームを伸張した映像データを、その外側の前記ダミーデータを除去した上で再生し、前記第２のフレームを伸張した映像データをそのまま再生することを特徴とする。
【００２８】
すなわち、本発明による動画再生方法は、
外側に幅Ｎ画素（Ｎ：自然数）のダミーデータが付加された第１のフレームの符号化データを読み出す工程と、
読み出した第１のフレームの符号化データを伸張し表示データとして記憶する工程と、
第２のフレームの符号化データを読み出す工程と、
読み出した第２のフレームの符号化データを伸張し表示データとして記憶する工程と、
前記記憶した第１のフレームの前記表示データを、その外側の前記ダミーデータを除去する状態で読み出して表示出力する工程と、
前記記憶した第２のフレームの前記表示データを読み出して表示出力する工程と、
前記各工程を交互に繰り返す工程とを含むものである。
【００２９】
また、本発明による動画再生方法は、複数のブロックから構成された第１のフレームと、複数のブロックから構成されて前記第１のフレームに時系列的に連続し外側に幅Ｎ画素（Ｎ：自然数）のダミーデータが付加された第２のフレームとを含ませる状態で記録されている符号化データを読み出し、ＪＰＥＧ方式で伸張し、映像データとして再生する動画再生方法であって、前記第１のフレームを伸張した映像データをそのまま再生し、前記第２のフレームを伸張した映像データを、その外側の前記ダミーデータを除去した上で再生することを特徴とする。
【００３０】
すなわち、本発明による動画再生方法は、
第１のフレームの符号化データを読み出す工程と、
読み出した第１のフレームの符号化データを伸張し表示データとして記憶する工程と、
外側に幅Ｎ画素（Ｎ：自然数）のダミーデータが付加された第２のフレームの符号化データを読み出す工程と、
読み出した第２のフレームの符号化データを伸張し表示データとして記憶する工程と、
前記記憶した第１のフレームの前記表示データを読み出して表示出力する工程と、
前記記憶した第２のフレームの前記表示データを、その外側の前記ダミーデータを除去する状態で読み出して表示出力する工程と、
前記各工程を交互に繰り返す工程とを含むことを特徴とする。
【００３１】
上記の動画再生方法において、前記ブロックの大きさを８画素×８画素とし、前記Ｎを４の倍数とすることを代表例としてあげることができる。
【００３２】
また、前記映像データの圧縮形式がモーションＪＰＥＧ形式である場合を典型例としてあげることができる。
【００３３】
本発明を動画再生装置として、次のように展開することが可能である。
【００３４】
本発明による動画再生装置は、
外側に幅Ｎ画素（Ｎ：自然数）のダミーデータが付加された第１のフレームの符号化データおよび前記第１のフレームに時系列的に連続しダミーデータ付加のない第２のフレームの符号化データを読み出して伸張するＪＰＥＧ伸張手段と、
前記ＪＰＥＧ伸張手段によって伸張された前記第１のフレームおよび第２のフレームのデータを表示データとして記憶する表示データ記憶手段と、
前記表示データ記憶手段に記憶された前記第１のフレームの表示データを、その外側の前記ダミーデータを除去する状態で読み出して表示出力するとともに、前記第２のフレームの表示データを読み出して表示出力する表示データ読み出し手段と
を備えた構成である。
【００３５】
また、本発明による動画再生装置は、
ダミーデータ付加のない第１のフレームの符号化データおよび前記第１のフレームに時系列的に連続し外側に幅Ｎ画素（Ｎ：自然数）のダミーデータが付加された第２のフレームの符号化データを読み出して伸張するＪＰＥＧ伸張手段と、
前記ＪＰＥＧ伸張手段によって伸張された前記第１のフレームおよび第２のフレームのデータを表示データとして記憶する表示データ記憶手段と、
前記表示データ記憶手段に記憶された前記第１のフレームの表示データを読み出して表示出力するとともに、前記第２のフレームの表示データを、その外側の前記ダミーデータを除去する状態で読み出して表示出力する表示データ読み出し手段と
を備えた構成である。
【００３６】
上記構成において、前記映像データの圧縮形式がモーションＪＰＥＧ形式であることが好ましい。
【発明の効果】
【００３７】
本発明によれば、動画再生時にブロックノイズが目立たなくなり、高品質な動画画質を実現することができる。
【発明を実施するための最良の形態】
【００３８】
以下、本発明にかかわる動画記録再生の方法および装置の実施の形態を図面に基づいて詳細に説明する。
【００３９】
図１は本発明の実施の形態における動画記録再生装置の構成を示すブロック図である。図１において、１は入力した映像データを記憶する映像データ記憶手段、２は映像データ記憶手段１から画像圧縮すべき映像データを読み出す映像データ読み出し手段、３は映像データを圧縮または伸張するためのＪＰＥＧ圧縮伸張手段、４はＪＰＥＧ圧縮伸張手段３により画像圧縮された符号化データを記憶する符号化データ記録手段、５はＪＰＥＧ圧縮伸張手段３により伸張されて生成された表示データを記憶する表示データ記憶手段、６は表示データ記憶手段５から記憶されている表示データを読み出す表示データ読み出し手段、７は表示データ読み出し手段６により読み出された表示データを表示する表示装置である。
【００４０】
次に、以上のように構成された動画記録再生装置の動画記録動作について説明する。
【００４１】
映像データ記憶手段１に記憶されていく映像データは、映像データ読み出し手段２により読み出され、ＪＰＥＧ圧縮伸張手段３によって画像圧縮されて符号化され、符号化データ記録手段４に記憶される。このとき、映像データ読み出し手段２は、第１のフレームについては、記録したい映像に対して、縦横Ｎ画素（Ｎは自然数）のダミーデータを入れた大きめの画角サイズで読み出す。ここでは、一例として、Ｎ＝４とする。これを第１のフレーム圧縮動作とする。次に、第２のフレームについては、記録したい映像データそのままの画角サイズで読み出す。これを第２のフレーム圧縮動作とする。
【００４２】
図２（ａ）は第１のフレーム圧縮動作時に映像データ読み出し手段２によって読み出された画像を示す。図２（ｂ）は第２のフレーム圧縮動作時に映像データ読み出し手段２によって読み出された画像を示す。このように、第１のフレーム圧縮動作と第２のフレーム圧縮動作を交互に繰り返しながら動画記録を行う。
【００４３】
次に、動画再生動作について説明する。
【００４４】
前記動画記録動作によって圧縮され、符号化データ記録手段４に記憶された符号化データは、ＪＰＥＧ圧縮伸張手段３によって画像伸張され、表示データ記憶手段５に表示データとして次々と記憶される。表示データ記憶手段５に記憶された表示データは表示データ読み出し手段６によって読み出され、表示装置７によって表示される。
【００４５】
このとき、表示データ記憶手段５に記憶される表示データについて、第１のフレーム圧縮動作で圧縮を行った映像データを伸張した場合の表示データはダミーデータを含んでいる。これを第１のフレーム伸張データとする。そして、第２のフレーム圧縮動作で圧縮を行った映像データを伸張した場合は、ダミーデータのない表示データとなる。これを第２のフレーム伸張データとする。
【００４６】
図３（ａ）は第１のフレーム伸張データであり、図３（ｂ）は第２のフレーム伸張データである。
【００４７】
図３（ａ），（ｂ）のように、第１のフレーム伸張データと第２のフレーム伸張データは、縦８画素、横８画素のブロックごとに筋のようなノイズが現れる。このノイズは、ＪＰＥＧ圧縮時に圧縮率を上げると、伸張したときに目立つようになるＪＰＥＧ特有の現象である。
【００４８】
表示データ記憶手段５は、ブロックノイズの目立つ第１のフレーム伸張データと第２のフレーム伸張データを交互に記憶していく。
【００４９】
そして、表示データ読み出し手段６は、第１のフレーム伸張データを読み出すときは、ダミーデータを避けて映像データのみを読み出す。これを第１のフレーム表示データとする。第２のフレーム伸張データを読み出すときは、そのまま画像の先頭から読み出す。これを第２のフレーム表示データとする。
【００５０】
図４（ａ）は第１のフレーム表示データであり、図４（ｂ）は第２のフレーム表示データである。また、図５（ａ），（ｂ）は図４（ａ），（ｂ）の太陽の部分を拡大したものである。図５から分かるように、第１のフレーム表示データのブロックノイズの位置と、第２のフレーム表示データのブロックノイズの位置が互いにずれている。互いのブロックノイズの位置は互いを相殺する関係にあることが分かる。
【００５１】
このことから、第１のフレーム表示データと第２のフレーム表示データを交互に表示装置７によって高速に表示することによって、人間の目で映像を見た状態で、互いのブロックノイズが相殺され、ブロックノイズが目立たなくなり、高品質な画像と認識させる。
【００５２】
また、第１のフレーム圧縮動作のときに使用するダミーデータを、記録したい映像の一番近い画素と同等にしておけば、相関がとれ、圧縮時の符号量を小さくすることができる。
【００５３】
また、ＪＰＥＧ圧縮の量子化テーブルを操作して第１のフレーム圧縮動作と第２のフレーム圧縮動作の圧縮率を変える方式もある。この場合、どちらか一つのフレームは圧縮率を低くし、もう一つのフレームは圧縮率を高くする。これにより、符号量について、第１のフレーム圧縮動作と第２のフレーム圧縮動作を同じ圧縮率とした場合と同等の大きさにしながら、圧縮率を高くした方のフレームにおいて高品質な画像を得られる。動画再生動作時において、高い圧縮率で圧縮された表示データのブロックノイズは低い圧縮率で圧縮された映像データに相殺される。そして、動画の一時停止動作において、高品質な表示データを表示した状態で停止させることで、さらに高品質な映像として認識できる。また、その表示データを一つの高品質な画像として、別用途で活用することもできる。
【産業上の利用可能性】
【００５４】
本発明にかかる画像処理装置は、動画再生時にブロックノイズが目立たなくなり、高品質な動画画質を実現する効果を有するもので、簡易な動画記録再生の機能を搭載するディジタルカメラ等として有用である。
【図面の簡単な説明】
【００５５】
【図１】本発明の実施の形態における動画記録再生装置の構成を示すブロック図
【図２】実施の形態の動画記録再生装置における動画記録動作時の第１のフレーム圧縮動作と第２のフレーム圧縮動作で圧縮される映像データの図
【図３】実施の形態の動画記録再生装置における動画再生動作時の第１のフレーム伸張データと第２のフレーム伸張データの図
【図４】実施の形態の動画記録再生装置における動画再生動作時の第１のフレーム表示データと第２のフレーム表示データの図
【図５】図４の第１のフレーム表示データと第２のフレーム表示データの一部を拡大して示す図
【符号の説明】
【００５６】
１  映像データ記憶手段
２  映像データ読み出し手段
３  ＪＰＥＧ圧縮伸張手段
４  符号化データ記録手段
５  表示データ記憶手段
６  表示データ読み出し手段
７  表示装置
【図１】
2006013766.tif 000003
【図２】
2006013766.tif 000004
【図３】
2006013766.tif 000005
【図４】
2006013766.tif 000006
【図５】
2006013766.tif 000007